(57)【要約】【課題】撮影画像を外部機器に転送可能であって、デジタルカメラ本体から無線装置に安全に電源供給を行うことができるデジタルカメラシステムを提供することである。【解決手段】このカメラシステムは、デジタルカメラ本体１０に無線装置２０を装着し、画像データを外部機器に転送可能としている。そして、このデジタルカメラシステムは、上記デジタルカメラ本体１０から無線装置２０電源を供給するための電源コネクタ３２と、上記デジタルカメラ本体１０に上記無線装置を装着する際に、上記電源コネクタ３２に先立って接続される通信コネクタ３１が設けられている。上記電源コネクタ３２は、装着検出用の端子によって該コネクタ３２が接続されたことが検知される。そして、上記装着検出用の端子によって上記電源コネクタの接続が検出されると、デジタルカメラ本体１０から無線装置２０への電源供給が行われる。【選択図】      図１
2006166381.tif 000002
【特許請求の範囲】
【請求項１】
デジタルカメラ本体に無線装置を装着し、画像データを外部機器に転送可能なデジタルカメラシステムに於いて、
上記デジタルカメラ本体から上記無線装置に電源を供給するための電源コネクタと、
上記デジタルカメラ本体に上記無線装置を装着する際に、上記電源コネクタに先立って接続される通信コネクタと、
上記電源コネクタが接続されたことを検知する検知手段と、
上記検知手段によって上記電源コネクタの接続が検知された後に、上記デジタルカメラ本体から上記無線装置への電源供給を行う電源制御手段と、
を具備したことを特徴とするデジタルカメラシステム。
【請求項２】
上記検知手段は、上記電源コネクタの接続に連動してオン状態となる検知スイッチを含むことを特徴とする請求項１に記載のデジタルカメラシステム。
【請求項３】
上記検知スイッチは、上記電源コネクタ内に配置されていることを特徴とする請求項２に記載のデジタルカメラシステム。
【請求項４】
上記検知手段は、上記デジタルカメラ本体側の電源コネクタ内に配置された特定の端子が上記無線装置側の電源コネクタ内に配置された特定の端子に接続しているか否かを検知するものであることを特徴とする請求項１に記載のデジタルカメラシステム。
【請求項５】
上記電源制御手段は、上記検知手段によって上記電源コネクタが接続されたことが検知され、且つ、上記無線装置への電源供給指示操作が行われた場合に、上記無線装置への電源供給を行うことを特徴とする請求項１に記載のデジタルカメラシステム。
【請求項６】
上記電源制御手段は、上記電源コネクタを介して接続される電源ライン上に配置された電源供給スイッチを含むことを特徴とする請求項５に記載のデジタルカメラシステム。
【請求項７】
上記通信コネクタ及び電源コネクタは、それぞれ上記無線装置側に通信コネクタプラグ及び電源コネクタプラグを有し、上記無線装置側の通信コネクタプラグは、上記無線装置側の電源コネクタプラグよりも突出していることを特徴とする請求項１に記載のデジタルカメラシステム。
【請求項８】
デジタルカメラ本体に無線装置を装着し、画像データを外部機器に転送可能なデジタルカメラシステムに於いて、
上記デジタルカメラ本体から上記無線装置に電源を供給するための電源コネクタと、
上記デジタルカメラ本体内の制御回路と上記無線装置内の制御回路との間で通信を行うための通信コネクタと、
を具備し、
上記デジタルカメラ本体に上記無線装置を装着する際には、上記電源コネクタに先立って上記通信コネクタが接続されることを特徴とするデジタルカメラシステム。
【請求項９】
上記電源コネクタが接続された後に、上記デジタルカメラ本体から上記無線装置への電源供給を行う電源制御手段を更に具備したことを特徴とする請求項８に記載のデジタルカメラシステム。
【請求項１０】
上記通信コネクタ及び電源コネクタは、それぞれ上記無線装置側に通信コネクタプラグ及び電源コネクタプラグを有し、上記無線装置側の通信コネクタプラグは、上記無線装置側の電源コネクタプラグよりも突出していることを特徴とする請求項８に記載のデジタルカメラシステム。
【請求項１１】
被写体の画像を撮像するデジタルカメラと、該デジタルカメラの本体に着脱可能であって上記デジタルカメラで撮像された画像データを外部機器に転送可能な無線装置と、を有するデジタルカメラシステムに於いて、
上記画像データを上記デジタルカメラ本体から上記無線装置に転送するための通信コネクタと、上記デジタルカメラ本体から上記無線装置に電源を供給するための電源コネクタとを有する接続手段と、
上記接続手段によって上記デジタルカメラ本体と上記無線装置とが接続されたことを検知する検知手段と、
上記検知手段によって上記接続手段の接続が検知された後に、上記デジタルカメラ本体から上記無線装置への電源供給を行う電源制御手段と、
を具備し、
上記接続手段は、上記通信コネクタを接続した後に上記電源コネクタを接続することを特徴とするデジタルカメラシステム。
【請求項１２】
上記検知手段は、上記電源コネクタの接続に連動してオン状態となる検知スイッチを含むことを特徴とする請求項１１に記載のデジタルカメラシステム。
【請求項１３】
上記検知スイッチは、上記電源コネクタ内に配置されていることを特徴とする請求項１２に記載のデジタルカメラシステム。
【請求項１４】
上記検知手段は、上記デジタルカメラ本体側の電源コネクタ内に配置された特定の端子が上記無線装置側の電源コネクタ内に配置された特定の端子に接続しているか否かを検知するものであることを特徴とする請求項１１に記載のデジタルカメラシステム。
【請求項１５】
上記電源制御手段は、上記検知手段によって上記電源コネクタが接続されたことが検知され、且つ、上記無線装置への電源供給指示操作が行われた場合に、上記無線装置への電源供給を行うことを特徴とする請求項１１に記載のデジタルカメラシステム。
【請求項１６】
上記電源制御手段は、上記電源コネクタを介して接続される電源ライン上に配置された電源供給スイッチを含むことを特徴とする請求項１５に記載のデジタルカメラシステム。
【請求項１７】
上記通信コネクタ及び電源コネクタは、それぞれ上記無線装置側に通信コネクタプラグ及び電源コネクタプラグを有し、上記無線装置側の通信コネクタプラグは、上記無線装置側の電源コネクタプラグよりも突出していることを特徴とする請求項１１に記載のデジタルカメラシステム。
【発明の詳細な説明】
【技術分野】
【０００１】
本発明は、デジタルカメラ本体に無線装置を装着し、該無線装置を介して撮影画像を外部の機器に転送可能なデジタルカメラシステムに関するものである。
【背景技術】
【０００２】
デジタルカメラ本体に装着可能であり、撮影された画像データを外部装置に転送するための無線装置については、すでに種々提案されている。
【０００３】
これらの無線装置としては、例えば、カメラ本体の底面部に無線装置を装着する技術が知られている（例えば、特許文献１参照）。
【０００４】
また、電池収納部に多機能接続端子を設け、この電池収納部に無線受信機を内蔵したカメラが知られている（例えば、特許文献２参照）。
【０００５】
上述した技術に於いては、両者間のデータ通信のためにカメラ本体と無線装置を合体した際に接触する接点端子を、双方の外表面に設けている。しかしながら、汎用性やコスト等を考慮すると、この種の接点よりも市販の小型通信コネクタを採用した方が得策である。
【特許文献１】特開２００１−０６９３８４号公報
【特許文献２】特開平３−０９４５８４号公報
【発明の開示】
【発明が解決しようとする課題】
【０００６】
ところで、上記の無線装置側に電源を搭載することは、小型化の観点から望ましいことではない。したがって、カメラ本体側の電源から無線装置側の電気回路に電源供給を行うような構成にするのが一般的である。
【０００７】
しかしながら、その際、接続状態の良否、給電のタイミング、更には無線装置側回路の起動タイミング等に充分に注意を払わなければ、カメラや無線装置の故障を招く虞れがある。
【０００８】
したがって本発明は、デジタルカメラ本体に装着した無線装置を介して撮影画像を外部の機器に転送可能なデジタルカメラシステムに於いて、デジタルカメラ本体から無線装置に対して安全に電源供給を行うことができるデジタルカメラシステムを提供することを目的とする。
【課題を解決するための手段】
【０００９】
すなわち、請求項１に記載の発明は、デジタルカメラ本体に無線装置を装着し、画像データを外部機器に転送可能なデジタルカメラシステムに於いて、上記デジタルカメラ本体から上記無線装置に電源を供給するための電源コネクタと、上記デジタルカメラ本体に上記無線装置を装着する際に、上記電源コネクタに先立って接続される通信コネクタと、上記電源コネクタが接続されたことを検知する検知手段と、上記検知手段によって上記電源コネクタの接続が検知された後に、上記デジタルカメラ本体から上記無線装置への電源供給を行う電源制御手段と、を具備したことを特徴とする。
【００１０】
請求項２に記載の発明は、請求項１に記載の発明に於いて、上記検知手段は、上記電源コネクタの接続に連動してオン状態となる検知スイッチを含むことを特徴とする。
【００１１】
請求項３に記載の発明は、請求項２に記載の発明に於いて、上記検知スイッチは、上記電源コネクタ内に配置されていることを特徴とする。
【００１２】
請求項４に記載の発明は、請求項１に記載の発明に於いて、上記検知手段は、上記デジタルカメラ本体側の電源コネクタ内に配置された特定の端子が上記無線装置側の電源コネクタ内に配置された特定の端子に接続しているか否かを検知するものであることを特徴とする。
【００１３】
請求項５に記載の発明は、請求項１に記載の発明に於いて、上記電源制御手段は、上記検知手段によって上記電源コネクタが接続されたことが検知され、且つ、上記無線装置への電源供給指示操作が行われた場合に、上記無線装置への電源供給を行うことを特徴とする。
【００１４】
請求項６に記載の発明は、請求項５に記載の発明に於いて、上記電源制御手段は、上記電源コネクタを介して接続される電源ライン上に配置された電源供給スイッチを含むことを特徴とする。
【００１５】
請求項７に記載の発明は、請求項１に記載の発明に於いて、上記通信コネクタ及び電源コネクタは、それぞれ上記無線装置側に通信コネクタプラグ及び電源コネクタプラグを有し、上記無線装置側の通信コネクタプラグは、上記無線装置側の電源コネクタプラグよりも突出していることを特徴とする。
【００１６】
請求項８に記載の発明は、デジタルカメラ本体に無線装置を装着し、画像データを外部機器に転送可能なデジタルカメラシステムに於いて、上記デジタルカメラ本体から上記無線装置に電源を供給するための電源コネクタと、上記デジタルカメラ本体内の制御回路と上記無線装置内の制御回路との間で通信を行うための通信コネクタと、を具備し、上記デジタルカメラ本体に上記無線装置を装着する際には、上記電源コネクタに先立って上記通信コネクタが接続されることを特徴とする。
【００１７】
請求項９に記載の発明は、請求項８に記載の発明に於いて、上記電源コネクタが接続された後に、上記デジタルカメラ本体から上記無線装置への電源供給を行う電源制御手段を更に具備したことを特徴とする。
【００１８】
請求項１０に記載の発明は、請求項８に記載の発明に於いて、上記通信コネクタ及び電源コネクタは、それぞれ上記無線装置側に通信コネクタプラグ及び電源コネクタプラグを有し、上記無線装置側の通信コネクタプラグは、上記無線装置側の電源コネクタプラグよりも突出していることを特徴とする。
【００１９】
請求項１１に記載の発明は、被写体の画像を撮像するデジタルカメラと、該デジタルカメラの本体に着脱可能であって上記デジタルカメラで撮像された画像データを外部機器に転送可能な無線装置と、を有するデジタルカメラシステムに於いて、上記画像データを上記デジタルカメラ本体から上記無線装置に転送するための通信コネクタと、上記デジタルカメラ本体から上記無線装置に電源を供給するための電源コネクタとを有する接続手段と、上記接続手段によって上記デジタルカメラ本体と上記無線装置とが接続されたことを検知する検知手段と、上記検知手段によって上記接続手段の接続が検知された後に、上記デジタルカメラ本体から上記無線装置への電源供給を行う電源制御手段と、を具備し、上記接続手段は、上記通信コネクタを接続した後に上記電源コネクタを接続することを特徴とする。
【００２０】
請求項１２に記載の発明は、請求項１１に記載の発明に於いて、上記検知手段は、上記電源コネクタの接続に連動してオン状態となる検知スイッチを含むことを特徴とする。
【００２１】
請求項１３に記載の発明は、請求項１２に記載の発明に於いて、上記検知スイッチは、上記電源コネクタ内に配置されていることを特徴とする。
【００２２】
請求項１４に記載の発明は、請求項１１に記載の発明に於いて、上記検知手段は、上記デジタルカメラ本体側の電源コネクタ内に配置された特定の端子が上記無線装置側の電源コネクタ内に配置された特定の端子に接続しているか否かを検知するものであることを特徴とする。
【００２３】
請求項１５に記載の発明は、請求項１１に記載の発明に於いて、上記電源制御手段は、上記検知手段によって上記電源コネクタが接続されたことが検知され、且つ、上記無線装置への電源供給指示操作が行われた場合に、上記無線装置への電源供給を行うことを特徴とする。
【００２４】
請求項１６に記載の発明は、請求項１５に記載の発明に於いて、上記電源制御手段は、上記電源コネクタを介して接続される電源ライン上に配置された電源供給スイッチを含むことを特徴とする。
【００２５】
請求項１７に記載の発明は、請求項１１に記載の発明に於いて、上記通信コネクタ及び電源コネクタは、それぞれ上記無線装置側に通信コネクタプラグ及び電源コネクタプラグを有し、上記無線装置側の通信コネクタプラグは、上記無線装置側の電源コネクタプラグよりも突出していることを特徴とする。
【発明の効果】
【００２６】
本発明によれば、デジタルカメラ本体に装着した無線装置を介して撮影画像を外部の機器に転送可能なデジタルカメラシステムに於いて、デジタルカメラ本体から無線装置に対して安全に電源供給を行うことができるデジタルカメラシステムを提供することができる。
【発明を実施するための最良の形態】
【００２７】
以下、図面を参照して、本発明の実施形態を説明する。
【００２８】
図１は、本発明に係る一実施形態のデジタルカメラシステムの外観斜視図である。
【００２９】
図１に於いて、このデジタルカメラシステムは、デジタルカメラ本体１０と、該デジタルカメラ本体１０に着脱可能な無線装置２０とにより構成されている。そして、デジタルカメラ本体１０の側面部と無線装置２０には、それぞれに一対の通信コネクタ３１及び電源コネクタ３２が設けられている。
【００３０】
上記通信コネクタ３１は、デジタルカメラで撮像された画像データを外部機器に送信するにあたり、デジタルカメラ本体１０から送信機となる無線装置２０に上記画像データを転送するためのものである。また、上記電源コネクタ３２は、デジタルカメラ本体１０から無線装置２０に電源を供給するためのものである。これらの通信コネクタ３１と電源コネクタ３２は、接続手段を構成している。
【００３１】
そして、上記通信コネクタ３１と電源コネクタ３２は、図２に示されるように、それぞれ通信レセプタ３１ａ、通信プラグ３１ｂと、電源レセプタ３２ａ、電源プラグ３２ｂとより構成されている。そして、無線装置２０側の通信プラグ３１ｂは、電源プラグ３２ｂよりも突出して形成されている。
【００３２】
図２は上述した通信コネクタ３１及び電源コネクタ３２の構成を示したもので、（ａ）は無線装置２０の装着前の状態を示した図、（ｂ）は無線装置２０の装着中の状態を示した図、（ｃ）は無線装置２０の装着後の状態を示した図である。
【００３３】
図２（ａ）に於いて、無線装置２０がデジタルカメラ本体１０に装着される前には、デジタルカメラ本体１０側に設けられた通信セレクタ３１ａ及び電源レセプタ３２ａに対向する位置に、通信プラグ３１ｂ及び電源プラグ３２ｂが配置される。
【００３４】
そして、この状態から無線装置２０がデジタルカメラ本体１０側に押し込まれると、図２（ｂ）に示されるように、先ず通信レセプタ３１ａに通信プラグ３１ｂが嵌入されて通信コネクタ３１が接続された状態となる。このとき、電源コネクタ３２側の電源レセプタ３２ａと電源プラグ３２ｂは、まだ接続されていない状態である。
【００３５】
次いで、更に無線装置２０がデジタルカメラ本体１０側に押し込まれると、図２（ｃ）に示されるように、電源コネクタ３２側の電源レセプタ３２ａに電源プラグ３２ｂが嵌入されて、両者が接続される。
【００３６】
図３は、デジタルカメラ本体１０と無線装置２０の通信コネクタ３１及び電源コネクタ３２周りの電源系統の構成を示すブロック図である。
【００３７】
図３に於いて、カメラ側は、電源としての電池１１にＤＣ／ＤＣコンバータ１２が接続されている。そして、このＤＣ／ＤＣコンバータ１２の出力が、カメラ内動作回路１５と、ボディ制御用マイクロコンピュータ（以下、Ｂμｃｏｍと略記する）８５と、ボディ側シリアル通信回路１６に供給される。
【００３８】
また、ＤＣ／ＤＣコンバータ１２の出力は、電源供給スイッチ１３を介して電源コネクタ３２の電源レセプタ３２ａに供給される。そして、この電源レセプタ３２ａに電源プラグ３２ｂが接続されることによって、無線装置２０内の無線装置側シリアル通信回路２２と、無線装置制御用マイクロコンピュータ（以下、Ｒμｃｏｍと略記する）２１と、無線装置内動作回路２３と共に、ＤＣ／ＤＣコンバータ１２の出力が供給される。上記電源供給スイッチ１３は、電源制御手段であるＢμｃｏｍ８５の制御により、オン／オフ制御される。
【００３９】
上記ボディ側シリアル通信回路１６及び無線装置側シリアル通信回路２２は、通信コネクタ３１を構成する通信レセプタ３１ａと通信プラグ３１ｂが接続されることにより、デジタルカメラ本体１０と無線装置２０との間で無線送信するためのデータを授受する回路である。尚、電源レセプタ３２ａは、内部に、例えば電源端子ＶＣＣ、電源プラグ３２ｂの装着検出用の端子（検知手段）ＤＣＴ、及びグランド端子ＧＮＤを有しており、通信レセプタ３２ａ内にはデータ用の端子ＤＡＴを有している。
【００４０】
このような構成に於いて、ＤＣ／ＤＣコンバータ１２により電源電池１１の電圧が定電圧化されて、カメラ内動作回路１５、Ｂμｃｏｍ８５、ボディ側シリアル通信回路１６に供給される。そして、電源レセプタ３２ａに電源プラグ３２ｂが接続されることにより、Ｂμｃｏｍ８５が電源供給スイッチ１３をオンにする。これにより、電源コネクタ３２を介して、上記定電圧が、無線装置２０内のＲμｃｏｍ２１、無線装置側シリアル通信回路２２及び無線装置内動作回路２３に供給される。
【００４１】
図４は、本発明の一実施形態によるデジタルカメラシステムの構成を示すブロック図である。
【００４２】
図４に於いて、このデジタルカメラシステムは、ボディユニット５０と、アクセサリ装置として、例えば交換可能なレンズユニット（すなわちレンズ鏡筒）５１と、通信コネクタ５６を介して撮影した画像データを記録しておく記録メディア５２と、ストロボ通信コネクタ５７を介して外付けのストロボユニット５３と、無線装置２０を有して構成されている。
【００４３】
上記レンズユニット５１は、上記ボディユニット５０の前面に設けられた、図示されないレンズマウントを介して着脱自在に装着可能である。そして、上記レンズユニット５１は、撮影レンズ６１ａ及び６１ｂと、絞り６２と、レンズ駆動機構６３と、絞り駆動機構６４と、レンズ制御用マイクロコンピュータ（以下、Ｌμｃｏｍと略記する）６５とから構成されている。
【００４４】
上記撮影レンズ６１ａ及び６１ｂは、レンズ駆動機構６３内に存在する図示されないＤＣモータによって、光軸方向に駆動される。絞り６２は、絞り駆動機構６４内に存在する図示されないステッピングモータによって駆動される。また、Ｌμｃｏｍ６５は、上記レンズ駆動機構６３や絞り駆動機構６４等、レンズユニット５１内の各部を駆動制御する。このＬμｃｏｍ６５は、通信コネクタ５５を介して、後述するボディ制御用マイクロコンピュータ８５と電気的に接続がなされ、該ボディ制御用マイクロコンピュータ８５の指令に従って制御される。
【００４５】
一方、ボディユニット５０は、以下のように構成されている。
【００４６】
レンズユニット５１内の撮影レンズ６１ａ及び６１ｂ、絞り６２を介して入射される図示されない被写体からの光束は、クイックリターンミラー７０で反射されて、フォーカシングスクリーン７１、ペンタプリズム７２を介して接眼レンズ７３に至る。
【００４７】
上記クイックリターンミラー７０の中央部はハーフミラーになっており、該クイックリターンミラー７０がダウン（図示の位置）した際に一部の光束が透過する。そして、この透過した光束は、クイックリターンミラー７０に設置されたサブミラー７５で反射され、自動測距を行うためのＡＦ（オートフォーカス）センサユニット７６に導かれる。尚、上記クイックリターンミラー７０のアップ時には、サブミラー７５は折り畳まれるようになっている。
【００４８】
上記クイックリターンミラー７０の後方には、光軸上のフォーカルプレーン式のシャッタユニット７７と、光学系を通過した被写体像を光電変換するための撮像素子（ＣＣＤ）７８ａを収容した撮像ユニット７８とを備えた撮像モジュール７９が設けられている。図示されないが、クイックリターンミラー７０が光路より退避した場合、撮影レンズ６１ａ及び６１ｂを通った光束は、撮像モジュール７９内の撮像素子４０に結像される。
【００４９】
このボディユニット５０は、また、上記撮像モジュール７９内の撮像素子７８ａに接続された撮像素子インターフェイス回路８０と、記憶領域として設けられたＳＤＲＡＭ８２と、液晶モニタ８３及び上記通信コネクタ５６を介して記録メディア５２とが、画像処理を行うための画像処理コントローラ８１に接続されている。これらは、電子撮像機能と共に電子記録表示機能を提供できるように構成されている。
【００５０】
上記記録メディア５２は、各種のメモリカードや外付けのハードディスクドライブ（ＨＤＤ）等の外部記録媒体であり、通信コネクタ５６を介してカメラボディ５０と通信可能、且つ交換可能に装着される。
【００５１】
上記画像処理コントローラ８１は、通信コネクタ５５と、測光回路８６と、ミラー駆動回路８７と、ＡＦセンサ駆動回路８８と、駆動制御手段であるシャッタ駆動制御回路９０と、不揮発性メモリ（ＥＥＰＲＯＭ）９１等と共に、このボディユニット５０内の各部を制御するためのボディ制御用マイクロコンピュータ（以下、Ｂμｃｏｍと略記する）８５に接続されている。
【００５２】
上記Ｂμｃｏｍ８５には、更に、当該カメラの動作状態を表示出力によって撮影者へ告知するための動作表示用ＬＣＤ９２と、カメラ操作スイッチ（ＳＷ）９３と、電源回路９５を介して電池９６と、無線装置２０との通信を行うためのボディ側シリアル通信回路１６とが接続されている。
【００５３】
尚、上記Ｂμｃｏｍ８５とＬμｃｏｍ６５とは、レンズユニット５１の装着時に於いて、通信コネクタ５５を介して通信可能に電気的接続がなされる。そして、デジタルカメラとしてＬμｃｏｍ６５がＢμｃｏｍ８５に従属的に協働しながら稼動するようになっている。
【００５４】
上記測光回路８６は、上記ペンタプリズム７２からの光束に基づいて測光処理する回路である。上記ミラー駆動機構８７はクイックリターンミラー７０を駆動制御する機構であり、ＡＦセンサ駆動回路８８は上記ＡＦセンサユニット７６を駆動制御するための回路である。また、シャッタ駆動制御回路９０は、上記シャッタユニット７７の図示されない先幕と後幕の動きを制御すると共に、Ｂμｃｏｍ８５との間でシャッタの開閉動作を制御する信号とストロボと同調する信号の授受を行う。
【００５５】
不揮発性メモリ９１は、その他の記憶領域として、カメラ制御に必要な所定の制御パラメータを記憶する記憶手段であり、Ｂμｃｏｍ８５からアクセス可能に設けられている。
【００５６】
動作表示用ＬＣＤ９２は、当該カメラの動作状態を表示出力によって撮影者へ告知するためのものである。上記カメラ操作スイッチ９３は、例えば撮影動作の実行を指示するレリーズスイッチ、撮影モードと画像表示モードを切り替えるモード変更スイッチ及びパワースイッチ等、当該カメラを操作するために必要な操作釦を含むスイッチ群で構成される。
【００５７】
ストロボユニット５３は、閃光発光部１０１と、発光回路１０２と、ストロボ制御用マイクロコンピュータ１０３及び電池１０４とから成っている。そして、このストロボユニット５３は、ストロボ通信コネクタ５７を介して、ボディユニット５０と通信可能に装着可能である。
【００５８】
無線装置２０は、Ｒμｃｏｍ２１と、無線装置側シリアル通信回路２２と、ＳＤＲＡＭ２５と、無線通信回路２６とを有して構成されている。
【００５９】
上記ＳＤＲＡＭ２５は、無線送信される画像が一時的に記憶されるためのバッファとしての記憶手段である。そして、無線通信回路２６は、実際にＳＤＲＡＭ２５に記憶されている画像を、アンテナ４１を介して図示されない受信機に送信するための回路である。
【００６０】
また、無線装置側シリアル回路２２とデジタルカメラのボディユニット５０内のボディ側シリアル通信回路１６とは、上述したように無線装置通信コネクタ３１によって接続される。
【００６１】
このように構成されたデジタルカメラの各部は、次のように稼動する。
【００６２】
先ず、画像処理コントローラ８１により、Ｂμｃｏｍ８５の指令に従って撮像素子インターフェイス回路８０が制御されて、撮像モジュール７８から画像データが取り込まれる。この画像データは、一時保管用メモリであるＳＤＲＡＭ８２に取り込まれる。このＳＤＲＡＭ８２は、画像データが変換される際のワークエリア等に使用される。また、この画像データは、ＪＰＥＧデータに変換された後には、記録メディア５２に保管されるように設定されている。
【００６３】
ミラー駆動機構８７は、上述したように、クイックリターンミラー７０をアップ（ＵＰ）位置とダウン（ＤＯＷＮ）位置へ駆動するための機構である。ミラー駆動機構８７によってクイックリターンミラー７０がダウン位置にある時、撮影レンズ６１ａ及び６１ｂからの光束は、ＡＦセンサユニット７６側とペンタプリズム７２側へと分割されて導かれる。
【００６４】
ＡＦセンサユニット７６内のＡＦセンサからの出力は、ＡＦセンサ駆動回路８８を介してＢμｃｏｍ８５へ送信されて、周知の測距処理が行われる。
【００６５】
一方、ペンタプリズム７２に隣接する接眼レンズ７３からは、撮影者が被写体を目視できる。また、上記ペンタプリズム７２を通過した光束の一部は、測光回路８６内のホトセンサ（図示せず）へ導かれ、ここで検知された光量に基づいて周知の測光処理が行われる。
【００６６】
シャッタ駆動制御回路９０では、Ｂμｃｏｍ８５からシャッタを駆動制御するための信号が受取られると、その信号に基づいてシャッタユニット７７が制御される。それと共に、シャッタ駆動制御回路９０から、所定のタイミングでＢμｃｏｍ８５にストロボを発光させるためのストロボ同調信号が出力される。Ｂμｃｏｍ８５からは、このストロボ同調信号に基づいて、ストロボユニット５３に通信により発光指令信号が出力される。
【００６７】
また、撮影者によって上述したカメラ操作スイッチ９３の中のモード変更スイッチが操作されて、撮影モードから画像表示モードへ切り換えられると、記録メディア５２に保管された画像データが読み出されて、液晶モニタ８３に表示可能である。記録メディア５２から読み出された画像データは、画像処理コントローラ８１に於いてビデオ信号に変換され、液晶モニタ８３にて出力表示される。
【００６８】
図５は、無線装置２０が装着された状態のデジタルカメラ本体１０を背面方向から見た外観図である。
【００６９】
図５に於いて、デジタルカメラ本体１０の背面の上方には、被写体を観察するためのファィンダ１７が設けられている。そして、このデジタルカメラ本体１０の上部には、レリーズ釦９３ａが設けられている。また、デジタルカメラ本体１０の背面のほぼ中央部には液晶モニタ８３が配置されており、この液晶モニタ８３の両側に、複数の操作釦９３ｂと、ＯＫ釦９３ｃ及び十字キー９３ｄが配設されている。
【００７０】
上記操作釦９３ｂは、このデジタルカメラの各種の操作を行うための入力釦である。ＯＫ釦９３ｃ及び十字キー９３ｄは、実際に無線通信を行うためのものであり、例えば、図６に示されるように、動作表示用ＬＣＤ９２に表示された無線通信の状態を選択、決定するために使用される。
【００７１】
次に、図７に示されるフローチャートを参照して、本発明の実施形態の動作について説明する。
【００７２】
図７（ａ）は本実施形態に於けるデジタルカメラシステムによって無線通信を行うための動作を説明するフローチャートであり、この操作自体はユーザによって行われる。
【００７３】
ユーザは、先ずステップＳ１にて、カメラの図示されない電源スイッチをオフ（ＯＦＦ）にする。次いで、ステップＳ２にて、デジタルカメラ本体１０の通信レセプタ３１ａ及び電源レセプタ３２ａを覆っている図示されない外部端子蓋を取り外す。このとき、通信レセプタ３１ａ及び電源レセプタ３２ａが露出される。
【００７４】
次いで、ステップＳ３にて、無線装置２０に設けられた通信プラグ３１ｂ及び電源プラグ３２ｂを、露出された通信レセプタ３１ａ及び電源レセプタ３２ａに差し込む。そして、ステップＳ４にて、図示されない取り付けネジによって、上記通信コネクタ３１及び電源コネクタ３２を固定する。
【００７５】
この後、ステップＳ５にて、カメラの図示されない電源スイッチをオン（ＯＮ）にする。そして、ステップＳ６では、十字キー９３ｄ等の操作によって、カメラのメニューを操作する。これにより、図６に示されるような無線装置２０のメニューを読み出す。更に、ステップＳ７では、上記メニューの画面にて、無線装置２０のパワーをオンするか否かを決定するための画面を読み出す。
【００７６】
そして、ステップＳ８に於いて、上記メニュー画面にて、無線装置２０への電源供給状態を選択操作する。ここで、無線装置２０のパワーをオンする場合は、メニュー画面上で無線接続の“ＯＮ”を選択する。一方、無線装置２０のパワーをオンしない（オフする）場合は、メニュー画面上で無線接続の“ＯＦＦ”を選択する。
【００７７】
メニュー画面でパワーオン若しくはパワーオフの選択操作がなされた後は、ステップＳ９に移行してＯＫ釦９３ｃを押し、無線装置２０のパワーオン若しくはパワーオフを確定する。
【００７８】
図７（ｂ）は、デジタルカメラ側のメインの動作を説明するフローチャートであり、上述した図７（ａ）のフローチャートに於けるステップＳ７〜Ｓ１０に対応した部分の動作について説明する。尚、このフローチャートの動作は、Ｂμｃｏｍ８５の指令に従って行われる。
【００７９】
図７（ａ）のフローチャートに於けるステップＳ８にて無線装置２０のパワー操作に対応して、ステップＳ２１に於いて無線装置２０のパワー操作の有無が判定される。ここで、パワー操作が無い場合は、後述するステップＳ２６以降の無線装置２０の操作以外の処理動作に移行する。一方、パワー操作がある場合は、ステップＳ２２へ移行する。
【００８０】
ステップＳ２２では、無線装置２０のパワー操作に於いて、オン操作かオフ操作かが判定される。そして、パワーオフの操作がなされる場合は、ステップＳ２３へ移行して、電源供給スイッチ１３がオフにされる。この後、無線装置２０の操作以外の処理動作に移行する。
【００８１】
一方、上記ステップＳ２２に於いて、無線装置２０のパワーオン操作がなされた場合は、ステップＳ２４へ移行して、電源プラグ３２ｂの装着検出用の端子ＤＣＴの状態が判定される。ここで、上記端子ＤＣＴがローレベル“Ｌ”であると判定された場合は、電源レセプタ３２ａに電源プラグ３２ｂが接続されている状態であるので、ステップＳ２５へ移行して電源供給スイッチ１３がオンにされる。また、上記端子ＤＣＴがローレベルでないと判定された場合は、電源レセプタ３２ａに電源プラグ３２ｂが接続されていない状態であるので、ステップＳ２６へ移行して警告がなされる。
【００８２】
この後、無線装置２０の操作以外の処理動作に移行する。
【００８３】
このように、通信コネクタ３１が接続された後に電源コネクタ３２が接続されるように構成しているので、デジタルカメラ本体１０と無線装置２０の接続に於いて、接続状態の良否、給電のタイミング等、電源供給を安全に行うことができる。
【００８４】
以上、本発明の実施形態について説明したが、本発明は上述した実施形態以外にも、本発明の要旨を逸脱しない範囲で種々の変形実施が可能である。
【図面の簡単な説明】
【００８５】
【図１】本発明に係る一実施形態のデジタルカメラシステムの外観斜視図である。
【図２】通信コネクタ３１及び電源コネクタ３２の構成を示したもので、（ａ）は無線装置２０の装着前の状態を示した図、（ｂ）は無線装置２０の装着中の状態を示した図、（ｃ）は無線装置２０の装着後の状態を示した図である。
【図３】デジタルカメラ本体１０と無線装置２０の通信コネクタ３１及び電源コネクタ３２周りの電源系統の構成を示すブロック図である。
【図４】本発明の一実施形態によるデジタルカメラシステムの構成を示すブロック図である。
【図５】無線装置２０が装着された状態のデジタルカメラ本体１０を背面方向から見た外観図である。
【図６】動作表示用ＬＣＤに表示された無線通信の状態を選択するメニュー画面の例を示した図である。
【図７】（ａ）は本実施形態に於けるデジタルカメラシステムによって無線通信を行うための動作を説明するフローチャート、（ｂ）はデジタルカメラ側のメインの動作を説明するもので、（ａ）のフローチャートに於けるステップＳ７〜Ｓ１０に対応した部分の動作について説明するフローチャートである。
【符号の説明】
【００８６】
１０…デジタルカメラ本体、１１…電池、１２…ＤＣ／ＤＣコンバータ、１３…電源供給スイッチ、１５…カメラ内動作回路、１６…ボディ側シリアル通信回路、２０…無線装置、２１…無線装置制御用マイクロコンピュータ（Ｒμｃｏｍ）２２…無線装置側シリアル通信回路、２３…無線装置内動作回路、２５…ＳＤＲＡＭ、２６…無線通信回路、３１…通信コネクタ、３１ａ…通信レセプタ、３１ｂ…通信プラグ、３２…電源コネクタ、３２ａ…電源レセプタ、３２ｂ…電源プラグ、５０…ボディユニット、５１…レンズユニット、５２…記録メディア、５３…ストロボユニット、６１ａ、６１ｂ…撮影レンズ、６２…絞り、６５…レンズ制御用マイクロコンピュータ（Ｌμｃｏｍ）、７０…クイックリターンミラー、７６…ＡＦセンサユニット、７７…シャッタユニット、７８…撮像ユニット、７８ａ…撮像素子（ＣＣＤ）、７９…撮像モジュール、８０…撮像素子インターフェイス回路、８１…画像処理コントローラ、８５…ボディ制御用マイクロコンピュータ（Ｂμｃｏｍ）、９０…シャッタ駆動制御回路、９３…カメラ操作スイッチ（ＳＷ）、９５…電源回路、１０１…閃光発光部、１０２…発光回路、１０３…ストロボ制御用マイクロコンピュータ。
【図１】
2006166381.tif 000003
【図２】
2006166381.tif 000004
【図３】
2006166381.tif 000005
【図４】
2006166381.tif 000006
【図５】
2006166381.tif 000007
【図６】
2006166381.tif 000008
【図７】
2006166381.tif 000009